(57)【要約】【課題】基板面と略同一面上において曲げることができる低圧用のテープ状ＬＥＤ照明装置を提供する。【解決手段】複数の単位テープライト１２ａからなるテープライト本体１０において、隣り合う単位テープライト１２ａ，１２ａの接続部分の近傍の基板１６及びプリント配線１８を細く形成し、テープライト本体１０の全長に亘って一対のバイパス導線１４，１４を編組導線で設け、バイパス導線１４，１４の一方を各単位テープライト１２ａの正極配線１８ａに各々接続し、バイパス導線１４，１４の他方を各単位テープライト１２ａの負極配線１８ｂに各々接続した。【選択図】図１
2019008901.tif 000002
【特許請求の範囲】
【請求項１】
長手方向に繰り返し連続的に形成されている複数の単位テープライトからなるテープライト本体を備え、該単位テープライトは、細長でシート状の基板と、該基板の一方の面に積層形成されたプリント配線と、該基板の他方の面に取り付けられたＬＥＤチップ及び抵抗体とを備え、該基板は、隣り合う単位テープライトのつながっている部分の近傍で細くなっており、該プリント配線は、正極配線と、該正極配線から間隔をとって設けられた負極配線と、該正極配線と該負極配線の間に設けられた接続配線とからなり、該正極配線は隣り合う単位テープライト間でつながっており、該負極配線は隣り合う単位テープライト間でつながっており、該ＬＥＤチップと該抵抗体は該接続配線により直列に接続され、該ＬＥＤチップの正極端子は該正極配線に直接又は抵抗体を介して接続され、該ＬＥＤチップの負極端子は該負極配線に直接又は抵抗体を介して接続されていることを特徴とするテープ状ＬＥＤ照明装置。
【請求項２】
一対のバイパス導線が前記テープライト本体の全長に亘って設けられ、該一対のバイパス導線の一方は前記各単位テープライトの正極配線に各々接続され、該一対のバイパス導線の他方は該各単位テープライトの負極配線に各々接続されていることを特徴とする請求項１に記載のテープ状ＬＥＤ照明装置。
【請求項３】
前記バイパス導線が編組導線からなることを特徴とする請求項２に記載のテープ状ＬＥＤ照明装置。
【請求項４】
前記一対のバイパス導線は絶縁材で相互に絶縁されていることを特徴とする請求項２に記載のテープ状ＬＥＤ照明装置。
【請求項５】
前記ＬＥＤチップが１個又は２個以上であることを特徴とする請求項１に記載のテープ状ＬＥＤ照明装置。
【請求項６】
半透明な又は乳白色のチューブ状カバーで被覆されていることを特徴とする請求項１に記載のテープ状ＬＥＤ照明装置。
【請求項７】
カバーの裏面に両面テープが積層形成されていることを特徴とする請求項６に記載のテープ状ＬＥＤ照明装置。
【発明の詳細な説明】
【技術分野】
【０００１】
本発明は、所望の長さに切って使うことができる低圧用（ＤＣ１２Ｖ〜２４Ｖ）のテープ状ＬＥＤ照明装置（以下、「テープライト」という。）に関するものである。
【背景技術】
【０００２】
一般に、低圧用のテープライトは、低圧用の単位テープライトを長手方向に複数個、連続的に形成し、これらを半透明の又は乳白色のチューブ状カバーで被覆し、これを所望の場所に両面テープ又は取付部材を用いて取り付けてなるものである。
【０００３】
該単位テープライトは、細長でシート状の基板と、該基板の一方の面に取り付けられたＬＥＤチップ及び抵抗体と、該基板の他方の面に積層形成されたプリント配線とからなる。該ＬＥＤチップ及び該抵抗体は該プリント配線に電気的に接続され、該プリント配線から電流（ＤＣ１２Ｖ〜２４Ｖ）が供給されるようになっている。
【０００４】
テープライトは、単位テープライト毎に独立しているので、取り付ける場所の長さに合わせて切って使うことができる。裏面に両面テープが取り付けられているテープライトは、取り付けたい場所に貼り付けことによりテープライトを簡単に取り付けることができる。
【０００５】
低圧用のテープライトは切断できる最小単位（単位テープライト）の長さが短いので、設置場所の長さに近い長さで切断することができ、このため、店舗の中を間接的に照らす照明やショーケースの中の商品を照らす照明など、比較的、細やかさが要求される場所を照明する用途に使用されている。
【０００６】
このテープライトはＤＣ１２Ｖ〜２４Ｖで使用するものなので、１００〜２００Ｖの交流を１２Ｖ〜２４Ｖの直流に変換するＡＣ／ＤＣ電源が別途必要である。販売されている低圧用のテープライトは、長さが５ｍ程度と比較的長いものであるが、柔軟性を有していて、ロール状に巻くことができるので、リールに巻かれた状態で販売されている。
【０００７】
現在、テープライトは直線的に設置して使用されているが、円形、楕円形又は曲線に設置したい場合がある。このような場合に対応するためには、テープライトを基板と同一面上で横方向に曲げられるようにする必要がある。しかし、テープライトは基板と同一面上で横方向に曲げることはできないので、そのような場合に対応するのは困難であった。
【０００８】
また、低圧用のテープライトは５ｍとそれなりの長さで販売されているが、テープライトを取り付ける場所が５ｍ以上に長い場合は、複数本のテープライトを続けて設置し、各テープライト毎に各ＡＣ／ＤＣ電源から電気を供給しなければならない。しかし、テープライトをそのような形で設置すると、テープライトの費用やＡＣ／ＤＣ電源の費用が重複し、設置費用が高くなる。そこで、５ｍより長いテープライトの製造・販売が望まれていた。
【０００９】
しかし、テープライトを５ｍより長く形成すると、ＬＥＤチップに電気を供給するプリント配線の電気抵抗による電圧降下で電源から遠いＬＥＤチップが暗くなる。テープライトのプリント配線を厚く形成して、プリント配線の導電性を良くし、電源から遠いＬＥＤチップが暗くならないようにしようとすると、テープライトが曲がり難くなり、リールに巻いて販売することが困難になる。このため、５ｍ以上に長い低圧用のテープライトは今のところ販売されていない。
【先行技術文献】
【特許文献】
【００１０】
【特許文献１】特開２０１５−１９５２０４号公報
【特許文献２】特開２０１３−１１８１６９号公報
【発明の概要】
【発明が解決しようとする課題】
【００１１】
本発明が解決しようとする課題は、基板と同一面上で横方向に曲げることができるテープライトを形成すること困難な点と、５ｍ以上に長く形成しても、電源から遠いＬＥＤチップが暗くならず、且つリールに巻き付けることができるテープライトを形成することが困難な点である。
【課題を解決するための手段】
【００１２】
本発明は、基板面と略同一面上において曲げられるようにするため、隣り合う単位テープライトがつながる部分の基板を細く形成したことを第一の特徴とし、電源から遠い場所の電圧降下をできるだけなくすため、テープライト本体の全長に亘って一対のバイパス導線を設け、テープライト本体の各正極配線及び各負極配線に各バイパス導線を単位テープライト毎に各々接続したことを第二の特徴とする。
【００１３】
すなわち、本発明は、長手方向に繰り返し連続的に形成されている複数の単位テープライトからなるテープライト本体を備え、該単位テープライトは、細長でシート状の基板と、該基板の一方の面に積層形成されたプリント配線と、該基板の他方の面に取り付けられたＬＥＤチップ及び抵抗体とを備え、該基板は、隣り合う単位テープライトのつながっている部分の近傍で細くなっている。
【００１４】
該プリント配線は、正極配線と、該正極配線から間隔をとって設けられた負極配線と、該正極配線と該負極配線の間に設けられた接続配線とからなり、該正極配線は隣り合う単位テープライト間でつながっており、該負極配線は隣り合う単位テープライト間でつながっており、該ＬＥＤチップと該抵抗体は該接続配線により直列に接続されている。
【００１５】
該ＬＥＤチップの正極端子は該正極配線に直接又は抵抗体を介して接続され、該ＬＥＤチップの負極端子は該負極配線に直接又は抵抗体を介して接続され、該一対のバイパス導線の一方は該各単位テープライトの正極配線に各々接続され、該一対のバイパス導線の他方は該各単位テープライトの負極配線に各々接続されている。
【００１６】
該テープライト本体には、一対のバイパス導線が該テープライト本体の全長に亘って設けられ、該一対のバイパス導線の一方は前記各単位テープライトの正極配線に各々接続され、該一対のバイパス導線の他方は該各単位テープライトの負極配線に各々接続されている。該バイパス導線は編組導線からなる。前記一対のバイパス導線は絶縁材で絶縁されている。前記ＬＥＤチップが１個又は２個以上である。半透明な又は乳白色のチューブ状カバーで被覆されている。カバーの裏面に両面テープを積層形成してもよい。
【発明の効果】
【００１７】
本発明のテープライトは、単位テープライトの連結部において、基板にくびれを設けているので、基板面と略同一面上において、基板が横方向に曲げ易くなり、従って、施工性が向上するという効果がある。
【００１８】
また、本発明のテープライトは、全長に亘って一対の編組導線を設け、各主配線に各編組導線を単位テープライト毎に各々接続しているので、５ｍ以上の長さに形成しても、電源から遠い場所の電圧降下が少なくなり、電源から遠いＬＥＤチップが暗くならず、且つ柔軟性が悪化しないという効果がある。
【００１９】
また、本発明のテープライトは、バイパス導線が編組導線からなるので、テープライトを基板と略同一面上において曲げようとする場合、曲げの外側のバイパス導線は少しだけ伸び、曲げの内側のバイパス導線は少しだけ縮むので、隣り合う単位テープライトの連結部において基板と略同一面上で曲げることができるという効果がある。
【図面の簡単な説明】
【００２０】
【図１】図１は本発明の実施例にかかるテープライトの平面図である。
【図２】図２は図１のＡ−Ａ矢視断面図である。
【図３】図３は図１のＢ−Ｂ矢視断面図である。
【図４】図４は図１のＣ−Ｃ矢視断面図である。
【図５】図５は図１のＤ−Ｄ矢視断面図である。
【図６】図６は図１のテープライトを各層毎に示す分解説明図である。
【図７】図７はカバー（例１）で被覆したテープライトの断面図である。
【図８】図８はカバー（例２）で被覆したテープライトの断面図である。
【図９】図９はカバー（例３）で被覆したテープライトの断面図である。
【発明を実施するための形態】
【００２１】
基板面と略同一面上において曲げることができるテープライトを提供するという目的を、簡素な構成で、電源からの距離の違いによってＬＥＤチップの明るさに違いを生じさせることなく実現した。
【実施例１】
【００２２】
図１は本発明の実施例にかかるテープライトの平面図、図２は図１のＡ−Ａ矢視断面図、図３は図１のＢ−Ｂ矢視断面図、図４は図１のＣ−Ｃ矢視断面図、図５は図１のＤ−Ｄ矢視断面図、図６は図１のテープライトを各層毎に示す分解説明図である。図６において、（ａ）は第１層（実装部品）を示し、（ｂ）は第２層（基板）を示し、（ｃ）は第３層（プリント配線）を示し、（ｄ）は第４層（絶縁被膜）を示し、（ｅ）は第５層（バイパス導線）を示す。
【００２３】
これらの図において、１０は本発明に係るテープライトであり、テープライト１０はテープライト本体１２と、テープライト本体１２の裏面側に、テープライト本体１２の全長に亘って設けられている一対のバイパス導線１４，１４とからなる。
【００２４】
テープライト本体１２は複数の単位テープライト１２ａからなり、複数の単位テープライト１２ａは長手方向に連続的に連なっている。単位テープライト１２ａは、細長でシート状の基板１６と、基板１６の一方の面、すなわちテープライト本体１２の裏面側の面に積層形成されたプリント配線１８と、基板１６の他方の面、すなわちテープライト本体１２の表面側の面に取り付けられたＬＥＤチップ２０及び抵抗体２２とを備えている。プリント配線１８は裏面側から絶縁被膜２４により被覆されている。
【００２５】
基板１６は可撓性を有する合成樹脂シートからなる。基板１６は長手方向に連続的にテープ状に連なっている。
【００２６】
プリント配線１８は、正極配線１８ａと、正極配線１８ａから間隔をおいて設けられた負極配線１８ｂと、正極配線１８ａと負極配線１８ｂとの間に設けられた接続配線１８ｃとからなる。隣り合う単位テープライト１２ａ，１２ａの正極配線１８ａ，１８ａは相互に連続的につながっている。隣り合う単位テープライト１２ａ，１２ａの負極配線１８ｂ，１８ｂは相互に連続的につながっている。
【００２７】
ＬＥＤチップ２０と抵抗体２２は接続配線１８ｃにより直列に接続されている。ＬＥＤチップ２０の正極側の端子は正極配線１８ａに直接又は抵抗体２２を介して接続されている。ＬＥＤチップ２０の負極側の端子は負極配線１８ｂに直接又は抵抗体２２を介して接続されている。
【００２８】
各単位テープライト１２ａの基板１６及び正極配線１８ａにはスルーホール２６が形成されている。一対のバイパス導線１４，１４の一方は、各単位テープライト１２ａの正極配線１８ａに、スルーホール２６のところで、ハンダ２８により各々接続されている。一対のバイパス導線１４，１４の他方は、各単位テープライト１２ａの負極配線１８ｂに、スルーホール２６のところで、ハンダ２８により各々接続されている。
【００２９】
基板１６は、隣り合う単位テープライト１２ａのつながっている部分の近傍で細くくびれている。正極配線１８ａ、負極配線１８ｂも、隣り合う単位テープライト１２ａのつながっている部分の近傍で細くなる。正極配線１８ａ、負極配線１８ｂが細くなると、正極配線１８ａ、負極配線１８ｂの電気抵抗が大きくなり、テープライト本体１２が５ｍ未満でも、電源から遠いＬＥＤチップ２０が暗くなる可能性がある。
【００３０】
バイパス導線１４，１４は正極配線１８ａ、負極配線１８ｂの電気抵抗が大きくなるのを補償しようとする意味もある。しかし、バイパス導線１４，１４を単純な銅線で形成すると、曲げられるようにしたテープライト本体１２が曲がらなくなる。そこで、若干伸び縮みする編組導線でバイパス導線１４，１４を形成し、くびれた部分で曲げられるようにした。
【００３１】
一対のバイパス導線１４，１４は絶縁材で相互に絶縁されている。テープライト１０は、図７〜９に示すように、チューブ状のカバー３０で被覆されている。カバー３０は可撓性を有する合成樹脂（例えばシリコン樹脂）材料からなる。カバー３０は半透明又は乳白色で、光を乱反射するようにした合成樹脂材料からなる。カバー３０の裏面は平坦に形成されていて、両面テープ３２が積層接着されている。カバー３０の端部で、電源ケーブルが取り付けられていない側には防水等の目的でキャップ（図示せず）が取り付けられている。
【００３２】
テープライト１０の一方の端部側の単位テープライト１２ａの正極配線１８ａ及び／又は正極配線１８ａに接続されているバイパス導線１４には電源ケーブルの正極側ケーブル（図示せず）が接続されている。テープライト１０の一方の端部側の単位テープライト１２ａの負極配線１８ｂ及び／又は負極配線１８ｂに接続されているバイパス導線１４には電源ケーブルの負極側ケーブル（図示せず）が接続されている。
【００３３】
基板１４には正極配線１８ａを露出させてなる正極端子部を形成しても良い。基板１４には負極配線１８ｂを露出させてなる負極端子部を形成しても良い。正極端子部及び負極端子部は、電源ケーブルの端子を接続して、ここからＬＥＤチップ２０に電流を供給してＬＥＤチップ２０を点灯させる用途に使用することができる。
【００３４】
一対のバイパス導線１４，１４は、図１に示す実施例ではテープライト本体１２の裏面側に設けられているが、テープライト本体１２の表面側に設けても良い。ＬＥＤチップ２０は、図１に示す実施例では１個が取り付けられているが、２個以上を取り付けてもよい。
【００３５】
次に、本発明の実施例にかかるテープライト１０に電気を供給した場合における電流の流れ及びＬＥＤチップの点灯の状況について説明する。
【００３６】
ＡＣ／ＤＣ電源からテープライト１０に供給された直流電流（１２Ｖ〜２４Ｖ）は主配線及びバイパス導線１４，１４を通って各ＬＥＤチップに供給される。バイパス導線１４，１４は主配線と並列に設けられている。バイパス導線１４，１４は編組導線からなり、編組導線の導電性は主配線の導電性と比較して極めて良好である。ＡＣ／ＤＣ電源からＬＥＤチップまでの電気抵抗はバイパス導線１４，１４により大幅に小さくなる。
【００３７】
ＡＣ／ＤＣ電源からＬＥＤチップまでの電気抵抗はバイパス導線１４，１４により大幅に小さくなるので、テープライト１０の長さを５ｍ以上に長くしても、ＡＣ／ＤＣ電源から遠い場所の電圧はＬＥＤチップが暗くなるほど降下しなくなる。従って、テープライト１０の長さを５ｍ以上に長くしても、ＡＣ／ＤＣ電源からの距離の違いによって、点灯しているＬＥＤチップの明るさに殆ど差が出なくなる。
【００３８】
次に、本発明の実施例にかかるテープライト１０を円形、楕円形又は曲線に曲げて取り付ける場合の屈曲部の状況について説明する。
【００３９】
隣り合う単位テープライト１２ａ，１２ａを基板と同一面上で横方向に曲げようとすると、隣り合う単位テープライト１２ａ，１２ａが連結されている部分の基板がくびれているので、基板がこのくびれている部分で少しねじれながら歪む。また、隣り合う単位テープライト１２ａ，１２ａを基板と同一面上で横方向に曲げようとすると、バイパス導線１４，１４は編組導線からなるので、曲げの外側のバイパス導線１４，１４は少しだけ伸び、曲げの内側のバイパス導線１４，１４は少しだけ縮む。
【００４０】
これらの結果、隣り合う単位テープライト１２ａ，１２ａを基板と同一面上で横方向に少しだけ曲げることができる。そして、隣り合う単位テープライト１２ａ，１２ａを基板と同一面上で横方向に少しだけ曲げることができるので、隣り合う単位テープライト１２ａ，１２ａを基板と同一面上で横方向に少しずつ曲げて行けば、テープライト１０を全体として円形、楕円形又は曲線に曲げることができる。従って、本発明に係るテープライト１０は、円形、楕円形又は曲線に曲げて取り付けることができる。
【符号の説明】
【００４１】
１０  テープライト
１２  テープライト本体
１２ａ  単位テープライト
１４  バイパス導線
１６  基板
１８  プリント配線
１８ａ  正極配線
１８ｂ  負極配線
１８ｃ  接続配線
２０  ＬＥＤチップ
２２  抵抗体
２４  絶縁被膜
２６  スルーホール
２８  ハンダ
３０  カバー
３２  両面テープ
【図１】
2019008901.tif 000003
【図２】
2019008901.tif 000004
【図３】
2019008901.tif 000005
【図４】
2019008901.tif 000006
【図５】
2019008901.tif 000007
【図６】
2019008901.tif 000008
【図７】
2019008901.tif 000009
【図８】
2019008901.tif 000010
【図９】
2019008901.tif 000011